(57)【要約】【課題】加熱される対象となる筒体を備えた乾燥機における熱変形を防止できる構成を備えた乾燥機を提供する。【解決手段】内部に被乾燥材料を移動させる空間が形成された不動部１Ａと回転部１Ｃとを有する筒体１の不動部１Ａには、筒体１内に空気を吸引する手段の吸引力を用いて外気を取り込む取り込み部１Ａ１０と筒体１内に外気を導入する導入部１Ａ１１とこれら取り込み部１Ａ１０と導入部１Ａ１１とを連通させる空間を有する空気通路１Ａ１が設けられていることを特徴とする。【選択図】  図８
2018194267.tif 000002
【特許請求の範囲】
【請求項１】
導入される被乾燥材料を乾燥するための乾燥機であって、
内部に被乾燥材料を移動させる空間が形成された不動部と回転部とを有し、該回転部が不動部に対して回転可能に設けられている筒体と、
前記筒体の長手方向一端側に設けられている、被乾燥材料導入部および加熱空気の供給部と、
前記筒体の長手方向他端側に設けられて該筒体内の空気を筒体の長手方向一端側から他端側に向けて吸引する手段と、を備え、
前記筒体の内部には、周方向に沿って中心に向け所定長さを有し、かつ、該筒体の長手方向において複数区分された領域毎で周方向の配置位相をずらされている複数の掬い上げ羽根が設けられ、
前記筒体の回転部が装填されて該回転部を回転可能に支持する不動部には、前記空気を吸引する手段の吸引力を用いて外気を取り込む取り込み部と前記筒体内に外気を導入する導入部とこれら取り込み部と導入部とを連通させる空間を有する空気通路が設けられていることを特徴とする乾燥機。
【請求項２】
請求項１記載の乾燥機において、
前記空気通路は、前記筒体の長手方向において空気が流れ始める長手方向一端側に設けられていることを特徴とする乾燥機。
【請求項３】
請求項１または２記載の乾燥機において、
前記空気通路は、前記筒体の長手方向一端側に連結される加熱空気の供給部に有する連通部を受け止めて支持する袋部が用いられることを特徴とする乾燥機。
【発明の詳細な説明】
【技術分野】
【０００１】
本発明は、乾燥機に関し、さらに詳しくは木質チップをはじめとする被乾燥材料の乾燥構造に関する。
【背景技術】
【０００２】
近年、化石燃料による環境保全への危惧という観点から、化石燃料と異なる林産資源や農産物残渣などを用いて再生エネルギーを確保することが着目されてきている。
再生エネルギーを確保するために用いられる資源の一つとして、林産資源から製造した木質ペレットが知られている。
木質ペレットは、粉砕された被乾燥材料の一つである木質チップを乾燥した後、所定サイズや形状を決められたペレット状に成形されて得られる。
木質チップの乾燥処理には、木質チップなどのバイオマス材料を内部に封入し、外部に配置された熱源によって加熱される筒体を備えたロータリーキルンを用いる構成が知られている（例えば、特許文献１）。
【０００３】
特許文献１に開示されている構成では、筒体の長手方向端部を密閉することで封入された被乾燥材料の漏洩を防止するようになっている。
しかし、筒体の密閉部分は、熱源からの加熱により熱膨張しやすい箇所であり、熱変形などをきたす危険のある箇所である。
そこで、熱変形を防止するための対策が必要となるが、特許文献１には対策に関する考えは一切ない。
【先行技術文献】
【特許文献】
【０００４】
【特許文献１】特開平８−９４０４７号公報
【発明の概要】
【発明が解決しようとする課題】
【０００５】
本発明の課題は、加熱される対象となる筒体を備えた乾燥機における熱変形を防止できる構成を備えた乾燥機を提供することにある。
【課題を解決するための手段】
【０００６】
この課題を解決するため、本発明は、導入される被乾燥材料を乾燥するための乾燥機であって、内部に被乾燥材料を移動させる空間が形成された不動部と回転部とを有し、該回転部が不動部に対して回転可能に設けられている筒体と、前記筒体の長手方向一端側に設けられている、被乾燥材料導入部および加熱空気の供給部と、前記筒体の長手方向他端側に設けられて該筒体内の空気を筒体の長手方向一端側から他端側に向けて吸引する手段と、を備え、前記筒体の内部には、周方向に沿って中心に向け所定長さを有し、かつ、該筒体の長手方向において複数区分された領域毎で周方向の配置位相をずらされている複数の掬い上げ羽根が設けられ、前記筒体の回転部が装填されて該回転部を回転可能に支持する不動部には、前記空気を吸引する手段の吸引力を用いて外気を取り込む取り込み部と前記筒体内に外気を導入する導入部とこれら取り込み部と導入部とを連通させる空間を有する空気通路が設けられていることを特徴としている。
【発明の効果】
【０００７】
本発明によれば、既存の構成として用いられる筒体の回転部を支持する不動部において、外気を取り込みかつ筒体内に空気を導入できる空気通路を設けることにより、筒体の外気冷却が可能となり、筒体の熱に対する耐久性を向上させることが可能となる。
【図面の簡単な説明】
【０００８】
【図１】本発明の実施形態にかかる乾燥機を用いた被乾燥材料の一つである木質バイオマス材料を対象とした木質ペレット製造工程を説明するための模式図である。
【図２】本発明の実施形態にかかる乾燥機の部分的な外観図である。
【図３】本発明の実施形態にかかる乾燥機の長手方向を示す側面図である。
【図４】図２中、筒体における矢印（４）で示す方向の矢視断面図である。
【図５】図２に示した筒体の長手方向に沿った掬い上げ羽根の配置位相を説明するための模式図である。
【図６】図４に示した矢視断面に示されている掬い上げ羽根の構成を説明するための図である。
【図７】図６に示した掬い上げ羽根の作用を説明するための図４の要部を示す図である。
【図８】本発明の実施形態にかかる要部構成を説明するための部分的な斜視図である。
【図９】図１に示した木質ペレット製造工程を実施する具体的な構成の一例を示す斜視図である。
【発明を実施するための形態】
【０００９】
以下に、本発明を実施するための形態を説明する。
図１および図９は、本発明を実施するための形態に係る乾燥機が用いられる、ペレット製造プラントの概略を示す図である。
図１に示すペレット製造プラントは、被乾燥材料として、可燃性材料の一つである木質バイオマス材料を対象としているが、これに限らず、可燃材料以外で粉体などを被乾燥材料の対象とすることも可能である。
図１においてペレット製造プラント１００は、木質バイオマス材料から得られる木質チップの乾燥処理および木質ペレットの成形、そして成形後の木質ペレットをペレット完成品として袋詰めする梱包を行うために、次の工程部を備えている。
すなわち、乾燥処理を行うための工程部として、粉砕済みの木質チップを乾燥工程部１０２に供給するバイオマス材料導入部１０１と、ロータリーキルン等の回転可能な筒体１を備えた乾燥工程部１０２と、乾燥工程に用いる加熱空気の供給部１０３と、が備えられている。
乾燥後の木質チップをペレット状に成形するために、例えば、次の工程部が用いられる。
（１）乾燥後の木質チップを再粉砕する２次粉砕工程部１０４、
（２）含水率が所定値に達していない木質チップを乾燥工程部１０２にて再乾燥させるとともに、所定値に達している木質チップを成形処理する成形工程部１０６に向けて搬送する２次供給工程部１０５、
（３）２次供給工程部１０５から選別された木質チップをペレット状に成形する成形機１０６Ａを備えた成形工程部１０６、
である。
成形工程部１０６を経て木質ペレットとされ、所定形状あるいは所定サイズなどの規定条件を満たしているバイオマス材料は、冷却工程部１０７において冷却された後、ペレット完成品として袋詰めされるための袋詰め工程部１０８に搬送される。
【００１０】
上記各工程部のうちで、乾燥工程部１０２は本発明の実施形態にかかる特徴部分であり、その詳細は後で説明するとして、ここでは乾燥工程部１０２を除く各工程部の構成を概略的に説明すると次の通りである。
バイオマス材料導入部１０１には、粉砕された木質チップを貯蔵する貯蔵ヤード１０１Ａ、貯蔵された木質チップを乾燥工程部１０２の乾燥機に向け搬送する１次供給機１０１Ｂおよび搬送ベルトコンベア１０１Ｃがそれぞれ備えられている。１次供給機１０１Ｂにより搬送される木質チップは、例えば、屋外で破砕された原木などの木質バイオマス材料が所定外径に粉砕されて用いられる。
２次粉砕工程部１０４には、乾燥工程を経た木質チップが所定サイズに粉砕されると共に含水率が所定条件である木質チップを２次供給工程部１０５に向け搬送するための粉砕機１０４Ａおよび湿度センサ（図示されず）等が備えられている。なお、含水率に関しては、湿度センサを用いることに限らず、作業員が水分計を用いて計測した結果に応じて篩い分け処理を行うことも可能である。
粉砕機１０４Ａには、図示しないが、粉砕サイズを規定するフィルターの内側で高速回転するハンマーを備えたハンマーミル等が用いられる。木質チップはハンマーにより粉砕されてフィルターサイズに適合したものが次の行程に搬送される。
【００１１】
２次粉砕工程部１０４において粉砕された木質チップは、含水率に応じて搬送経路が仕分けられる。つまり、含水率が所定条件を満たしている木質チップは２次供給工程部１０５に向けて搬送され、含水率に関して所定条件を満たしていない木質チップは、再度乾燥工程部１０２に搬送される。このため、粉砕機１０４Ａから排出される木質チップは、含水率毎の篩い分けおよび搬送ができるコンベア１０４Ｂおよび１０４Ｃの何れかによって搬送方向が決められる。
これらコンベア１０４Ｂ，１０４Ｃのうちで、最初に木質チップが導入される一方のコンベア１０４Ｂには篩い分け機構が持たされており、含水率が所定条件を満足している木質チップを２次供給工程部１０５に向け搬送するようになっている。含水率の違いによる篩い分けは、例えば、含水率の違いによる重量の違いをパラメータとして気流搬送時あるいは導入時での捕捉条件を設定される機構などが用いられる。
【００１２】
他方のコンベア１０４Ｃは、含水率が所定条件を満足していない木質チップを対象として再乾燥させる際の前準備工程へと木質チップを迂回搬送するバイパス２次供給行程部１０９に連続されている。
バイパス２次供給工程部１０９には、木質チップを撹拌しながら搬送可能なバイパス２次供給搬送装置１０９Ａと、気流搬送に用いた空気と木質チップとを分離するサイクロンロータリーバルブ１０９Ｂと、袋詰め機（フレキシブルコンテナバック詰め機）１０９Ｃとが備えられている。
バイパス２次供給工程部１０９では、サイクロンロータリーバルブ１０９Ｂにおいて空気と分離された木質チップが、乾燥工程部１０２に向け移送しやすいように袋詰め機１０９Ｃにより袋詰めされる。
【００１３】
含水率が所定条件を満たしている木質チップは、成形工程部１０６に備えられている成形機１０６Ａによって、例えば、押し固められて凝縮されることによりペレット状に成形される。成形工程部１０６では、ペレット状に成形されなかった木質チップなどの成形不良品の仕分けが行われたうえで、良品のみが完成品として袋詰めされるための袋詰め工程部１０８に搬送される。成形不良品とされた木質チップは、サイクロンロータリーバルブ１０９Ｂに搬送され、再乾燥用と同じく袋詰め機１０９Ｃにより袋詰めされる。
【００１４】
成形工程部１０６において所定形状や所定サイズに成形されて木質ペレットとして用いられるバイオマス材料は、良品が完成品として冷却工程部１０７において冷却された後、袋詰め工程部１０８において袋詰めされて完成品として出荷のために準備される。
冷却工程部１０７には、成形工程部１０６を経て木質ペレットとして用いられるバイオマス材料を袋詰め工程部１０８に向けて搬送する搬送コンベア１０７Ａ、１０７Ｂが備えられている。搬送コンベアの一方１０７Ａの上部には、冷却風を吹き付けるためのノズル１０７Ａ１，ブロアー１０７Ａ２が配置されている。
【００１５】
以上のペレット製造プラント１００において、本実施形態にかかる乾燥工程部１０２は、筒体１を主要部としている乾燥機１０を備え、筒体１の内部で木質チップを押し動かすのではなく気流搬送させながら撹拌して乾燥させる点を特徴としている。
【００１６】
以下、この特徴を得るための構成について説明する。
乾燥機１０は、図１および２に示すように、軸方向に沿った長手方向を有する回転可能な筒体１を備えている。
筒体１は、木質チップなどの乾燥材料となるバイオマス材料を移動させる空間を内部に形成され、長手方向両端に設けられている不動部１Ａ、１Ａ’により支持された回転可能な回転部１Ｃを備えている。
回転部１Ｃは、外周下面に当接させてあるローラ１Ｂによって回転できるように支持されている。筒体１の長手方向一端側の不動部１Ａには、図２に示すように、外周上面に貫通する取り込み部１Ｄが設けられている。取り込み部１Ｄは、バイオマス材料導入部１０１（図１参照）に備えられている搬送ベルトコンベア１０１Ｃを介して搬送されてくる木質チップを受け入れるために用いられる。また、筒体１の長手方向一端側には、取り込み部１Ｄに加えて、加熱空気の供給部１０３との連通部１０３Ａが接続されている。なお、取り込み部１Ｄは、筒体１の不動部外周上面に設けることに限らず、図３中、二点鎖線１Ｄ’で示すように、端面側に連通させて設けることも可能である。
【００１７】
加熱空気の供給部１０３は、図２において、木質ペレットを燃料とする火炎部１０３０と火炎部１０３０で加熱された空気を清浄化して筒体１側に移送する燃焼筒１０３１，１０３２が備えられている。
火炎部１０３０には、図示しない回転テーブルが設けられている。回転テーブルは、木質ペレットを搭載した状態で、バーナー１０３０Ａで生成される種火に均等接触させるように回転することができる。
【００１８】
火炎部１０３０で発生した加熱空気は、筒体１の長手方向他端側に設けられている送風機２の吸引作用によって筒体１の内部に向けて移動することができる。
送風機２は、筒体１の長手方向一端側から他端側に向けて空気を移動させて、いわゆる一端側から他端側に空気を吸引する機能を備えている。筒体１と送風機２とは、筒体１の長手方向他端側端面に接続された吸引管２Ａによって連通されており、筒体１の内部に空気の流れを発生させることができる。
従って、加熱空気の供給部１０３では、火炎部１０３０において発生した火炎に対して外部からの空気が筒体１側に向けて吸引される過程で加熱空気として生成される。火炎部１０３０を通過した空気は、燃焼筒１０３１，１０３２を通過する時間を加熱時間に費やされることにより温度を高めたうえで、後段の燃焼筒１０３２と筒体１との間の連通部１０３Ａに導かれて筒体１内に導入される。
【００１９】
乾燥機１０の主要部として用いられる筒体１には、図４および図５において符号５０、５０’で示されている掬い上げ羽根が回転部１Ｃの内部に備えられている。なお、図４，図５において符号５０’で示す掬い上げ羽根は、後で説明するが、符号５０で示す掬い上げ羽根と周方向での配置位相が異なっていることを意味させるために表示されている。
図４において、掬い上げ羽根５０，５０’は、筒体１に用いられる回転部１Ｃの内周面で周方向に沿って所定間隔の位置に設けられ、かつ、回転部１Ｃの断面中心に向けて所定長さを持たされて放射状に複数配置されている。
なお、図４において、符号１Ｃ１は、回転部１Ｃの回転駆動に用いられるチェーンホィール部を示している。チェーンホィール部１Ｃ１は、駆動モータＭによって駆動されるチェーン１Ｃ２の動きに従って回転部１Ｃを回転させるようになっている。
【００２０】
一方、回転部１Ｃは、図５において符号Ｌで示すように、長手方向に沿って複数の領域に区分されており、区分された各領域Ｌに掬い上げ羽根５０，５０’が設けられている。各領域Ｌに設けられている掬い上げ羽根５０，５０’は、領域Ｌ同士で周方向での配置位相が異なっている。
図５は、回転部１Ｃの長手方向に沿った各領域Ｌでの掬い上げ羽根５０，５０’の配置位相を示す図である。
同図において、直接隣り合う領域Ｌに設けられている掬い上げ羽根５０，５０’は、互いの配置位相が同じではない。
つまり、図５中、符号５０で示す掬い上げ羽根の周方向での配置位相が、図４における符号５０で示す位相に設定されているとすると、図５中、符号５０’で示す掬い上げ羽根は、図４において符号５０’で示すように、周方向でずれた位置に設けられている。
【００２１】
本実施形態における掬い上げ羽根５０，５０’の配置位相に関しては、例えば、一つ飛び越えた位置に在る領域Ｌ同士の配置位相が同じとされ、直接隣り合う領域Ｌ同士での配置位相が互いに異なる関係に決められている。
つまり、図５において直接隣り合う領域Ｌ同士では、符号５０，５０’で示すように異なる位置に掬い上げ羽根が位置し、一つ飛び越えた位置に在る領域Ｌ同士では、符号５０，５０あるいは５０’、５０’で示すように同じ位置に掬い上げ羽根が位置している関係が得られる。
隣り合う領域で掬い上げ羽根５０，５０’の配置位相を異ならせると、掬い上げられた木質チップが振るい落とされるタイミングを異ならせることができる。換言すれば、回転部１Ｃの長手方向全域で同時に木質チップが振るい落とされるのではなく、個々の領域Ｌで直接隣り合う領域と異なるタイミングにより木質チップが振るい落とされる。
これにより、回転部１Ｃの断面中央部に位置する空間では、分散性が高められて拡散しやすくなっている木質チップが加熱空気と接触できる。
従って、同じ位置から纏まって振るい落とされる木質チップが加熱空気と接触する場合と違って、拡散して密度が低い木質チップ群に加熱空気が接触しやすくなることで水分蒸発が促進されやすくなる。
なお、本実施形態では、配置位相が同じ掬い上げ羽根５０，５０’のいずれかを備えた領域として、一つ飛びを対象としたが、チップ形状やサイズの一つである粒度の違いによって配置位相の同じ領域の配置間隔を変更することも勿論可能である。
【００２２】
また、直接隣り合う領域Ｌ同士で掬い上げ羽根５０，あるいは５０’の配置位相が異なっていると、加熱空気の移動方向において手前側の領域で掬い上げ羽根の間を通過した加熱空気の一部は、加熱空気の移動方向後方側で隣り合う掬い上げ羽根に衝突して動きが緩和されることがある。
一部の空気が流れを緩和されると、回転部１Ｃの長手方向において生成されている層流の一部に僅かながらも乱流が発生する。このため、乱流が発生した位置では気流搬送される木質チップが滞留しやすくなる。この結果、一時的に滞留した木質チップは加熱空気と接触する時間を長くでき、木質チップに含まれている水分の蒸発が促進されて乾燥度が高められる。
【００２３】
一方、符号５０，５０’で示す掬い上げ羽根は、回転部１Ｃの長手方向での振るい落としタイミングを異ならせるだけでなく、周方向での木質チップの振るい落としタイミングを異ならせることができる。
図６は、周方向で掬い上げ羽根５０，あるいは５０’から振るい落とされるタイミングを異ならせるための構成を示す図である。
図４，図５において符号５０で示した掬い上げ羽根は、図６において、符号５０Ａ、５０Ｂで示すように、形状およびサイズが異なっている。なお、図６では、図４、図５において符号５０で示した掬い上げ羽根を対象として説明しているが、図４、図５において符号５０’で示した掬い上げ羽根も同様な構成であることを前置きしておく。
図６に示すように、掬い上げ羽根５０Ａ、５０Ｂは、筒体内壁側の基部Ｓから筒体中心に向け延長された先端部が放射線に対して傾斜させてあり、その形状として、符号５０Ａで示すように、先端部のみが折り曲げられた形状（図６（Ａ）、（Ｃ）参照）、符号５０Ｂで示すように、先端部に加えて基部から先端部に至る途中（図６（Ｂ）中、符号Ｒで示す位置）が屈曲されている形状（図６（Ｂ）、（Ｄ）参照）が用いられている。
【００２４】
形状の異なる掬い上げ羽根５０Ａ、５０Ｂは、先端部の傾斜角度（θ１、θ２で示す角度）が異なっている。
本実施形態では、先端部のみが折り曲げられている形状の掬い上げ羽根５０Ａの角度θ１が、基部から先端に至る途中が屈曲されている形状の掬い上げ羽根５０Ｂの角度θ２に対してθ１＜θ２の関係を設定されている。
【００２５】
この角度関係により、基部から先端に至る距離、つまり、回転部１Ｃの断面中心に向けた所定長さ（図６において符号Ｈ１、Ｈ２で示す）が互いに異ならせてあり、本実施形態では、Ｈ１＜Ｈ２の関係が設定されている。
【００２６】
以上の形状に関する条件により、掬い上げられた木質チップが羽根表面を滑落して振るい落とされるタイミングが掬い上げ羽根５０Ａ，５０Ｂ同士で異ならせることができる。
以下、図７を用いてこの理由を説明する。なお、図７では、回転部１Ｃが時計方向に回転することを前提として説明する。
図７において、回転部１Ｃ内に導入されて堆積している木質チップは、回転部１Ｃの回転に従って掬い上げ羽根５０Ａ、５０Ｂにより掬い上げられる。
回転部１Ｃの回転に伴い、掬い上げ羽根５０Ａ，５０Ｂが先端を下側に向けるように傾くと、先端部の傾斜角度が大きい形状の掬い上げ羽根５０Ｂの方が傾斜角度の小さい形状の掬い上げ羽根５０Ａより先に木質チップの滑落を許容する。
つまり、図７において回転部１Ｃの中心を通過する垂直線Ｖに対して先端の傾斜角度が大きい方（θ１＜θ２）である掬い上げ羽根５０Ｂは、垂直線Ｖに至るよりも前の回転方向上流側の位置で、屈曲位置から先端に至る片部５０Ｂ１が垂直線Ｖに対して拡開する（図７中、符号ＬＨで示す状態）。つまり、片部５０Ｂ１が下方を向く状態となる。このため、掬い上げられて羽根表面に載っていた木質チップは滑落しやすくなる。
【００２７】
一方、先端の傾斜角度が小さい方（θ１＜θ２）である掬い上げ羽根５０Ａは、垂直線Ｖを通過した時点で先端近くの折り曲げ位置から基部に至る片部５０Ａ１が垂直線Ｖに対して拡開した状態（図７中、符号ＬＨ’で示す状態）となる。つまり、片部５０Ａ１が下方を向く状態となる。この時点で木質チップは滑落が可能となる。
この結果、隣り合う掬い上げ羽根５０Ａ、５０Ｂ同士で木質チップが滑落し始めるタイミングを異ならせることにより、周方向で木質チップが滑落し始める位置を複数位置に分散させることができる。
このように周方向で複数位置から振るい落とされる木質チップは、振るい落とされる位置が複数ない場合に比べて木質チップを拡散されやすくなる。このように拡散した木質チップを加熱空気に接触させるようにすることで回転部１Ｃの長手方向での振るい落としタイミングを異ならせた場合と同様に、加熱空気と接触した際の水分蒸発が促進されやすくなる。
本発明者は、一例として、含水率５０％の黒松を対象として、乾燥特性に影響する含水率を実験したところ、概ね、ペレット成形時に燃焼性を損ねないで凝縮力が得られる最小限の含水率としての１２％程度の含水率まで下げることができるという結果を得た。
【００２８】
以上の構成を備えた乾燥機１０における特徴は、既存構成を利用して筒体１の冷却構造を設けた点にある。
図８は、上述した特徴を説明するために、筒体１における長手方向一端側に設けられている不動部１Ａと加熱空気の供給部１０３との間の連通部１０３Ａを部分的に示している。
同図において、筒体１の長手方向一端側に位置する不動部１Ａには、加熱空気の供給部１０３からの連通部１０３Ａを受け止めて支持する袋部１Ａ１が既存構造部として設けられている。
袋部１Ａ１は、筒体１の端面を遮蔽する端板１Ａ２０に一体化されたリング状部材であって、端板１Ａ２０の剛性確保と連通部１０３Ａの支持部としての機能を有している。
袋部１Ａ１は、内部が空間であることを利用して空気通路を構成している。つまり、袋部１Ａ１の外周壁の一部および端板１Ａ２０には、開口で構成された外気取り込み部１Ａ１０および空気導入部１Ａ１１が設けられ、空気を流通させることができるようになっている。
【００２９】
外気取り込み部１Ａ１０は、筒体１の長手方向において送風機２の作動により空気が流れ始める長手方向一端側に位置し、筒体１内に空気を吸引できる側に形成されている。そして、空気導入部１Ａ１１は、端板１Ａ２０を貫通することで筒体１内の空気の流れに応じて袋部１Ａ１内を負圧化傾向にすることができる位置に形成されている。特に、空気導入部１Ａ１１は、袋部１Ａ１内を流れる空気の通路長が確保できるように外気取り込み部１Ａ１０からある程度離れた位置に設けられている。
【００３０】
外気取り込み部１Ａ１０および空気導入部１Ａ１１は、図８中、符号Ｅで示す方向の矢視において、例えば、連通部１０３Ａの断面中心を基準とした第４象限に相当する範囲に設けられている。単位象限内という限られた範囲に空気の入り口と出口とに相当する構造を設けることで、袋部１Ａ１内を流れる空気の圧力損失を必要最小限に抑えやすくなる。
袋部１Ａ１は、外気取り込み部１Ａ１０と空気導入部１Ａ１１とを連通させる空気通路を構成しており、導入された空気が外部に漏れ出ることがないように、隔壁１Ａ２１，１Ａ２２が外気取り込み部１Ａ１０および空気導入部１Ａ１１の近傍で衝立状に設けられている。
【００３１】
袋部１Ａ１で構成される空気通路は、空気導入部１Ａ１１が筒体１の内部と連通していることにより、筒体１内で発生する空気の流れに応じて負圧化傾向とされ、外気取り込み部１Ａ１０から外気を吸入することができる。
空気通路に吸入された外気は、図８において太線の矢印で示すように、空気導入部１Ａ１１に至るまでの間、袋部１Ａ１内で不動部１Ａの端板１Ａ２０と接触しながら移動するので、端板１Ａ２０が空冷される。
【００３２】
端板１Ａ２０は、袋部１Ａ１に挿入されている連通部１０３Ａからの伝熱により熱的な悪影響を受けやすいが、外気による冷却作用によって熱的な耐久性を得ることができる。
これにより、筒体１の不動部１Ａと回転部１Ｃとが嵌合している場合の嵌合精度が維持され、回転部１Ｃの回転が不調となるのを防止できる。
【００３３】
なお、外気取り込み部１Ａ１０は、前述した開口とすることに限らず、筒体１の内部を流れる空気の量に応じた取り込み量を自動的に制御できる構成を備えることも可能である。
例えば、図８（Ｂ）に示すように、撓み変形して拡径、縮径可能な片部３０Ａを周方向で複数備えたカップ部材３０を外気取り込み部１Ａ１０に装填して用いることが考えられる。
カップ部材３０は、側面視形状がコーン形状にされることで片部３０Ａの先端が縮径されて互いに密着に近い状態を維持し、片部３０Ａの基部側、つまり、これが装填される外気取り込み部１Ａ１０側から入る空気の圧力によって拡開させるようになっている。このような作用が得られる材質として、形状復元性を持つ耐熱性ゴム等が用いられる。
カップ部材３０は、外気取り込み部１Ａ１０に装填されると、筒体１内を流れる空気の吸引作用を受けた場合に外気取り込み部１Ａ１０から進入する外気によって片部３０Ａが、図８（Ｂ）において二点鎖線で示すように拡開される。
このようなカップ部材３０は、不用意な外部からの異物混入を防止できるとともに、連通部１０３Ａを通過する加熱空気の量に応じて変化する外気導入量によって冷却条件が自動的に設定できる。特に、外気取り込み部１Ａ１０が開口のみの場合と違って、カップ部材３０の片部３０Ａによる絞り効果も期待できる。このため、外気取り込み部１Ａ１０から空気通路に入り込む外気の速度を高めて新鮮な外気導入を可能にして端板１Ａ２０への冷却効果を高めることが期待できる。
【産業上の利用可能性】
【００３４】
本発明は、既存構造を利用して筒体１内に流れ込む加熱空気の影響を受ける筒体端面部分の冷却を行うことにより筒体１の不動部１Ａおよびこれに嵌合する回転部１Ｃとの嵌合精度を維持できる点で利用可能性が高い。
【符号の説明】
【００３５】
１  筒体
１Ａ、１Ａ’  不動部
１Ａ１  袋部
１Ａ１０  外気取り込み部
１Ａ１１  空気導入部
１Ａ２０  端板
１Ａ２１，１Ａ２２  隔壁
１Ｃ  回転部
２  吸引手段としての送風機
１０  乾燥機
１０２  乾燥工程部
１０３  加熱空気の供給部
１０３Ａ  連通部
【図１】
2018194267.tif 000003
【図２】
2018194267.tif 000004
【図３】
2018194267.tif 000005
【図４】
2018194267.tif 000006
【図５】
2018194267.tif 000007
【図６】
2018194267.tif 000008
【図７】
2018194267.tif 000009
【図８】
2018194267.tif 000010
【図９】
2018194267.tif 000011
【手続補正書】
【提出日】平成29年6月12日(2017.6.12)
【手続補正１】
【補正対象書類名】明細書
【補正対象項目名】００１３
【補正方法】変更
【補正の内容】
【００１３】
含水率が所定条件を満たしている木質チップは、成形工程部１０６に備えられている成形機１０６Ａによって、例えば、押し固められてペレットの形状に縮むように凝縮されることにより、ペレット状に成形される。成形工程部１０６では、ペレット状に成形されなかった木質チップなどの成形不良品の仕分けが行われたうえで、良品のみが完成品として袋詰めされるための袋詰め工程部１０８に搬送される。成形不良品とされた木質チップは、サイクロンロータリーバルブ１０９Ｂに搬送され、再乾燥用と同じく袋詰め機１０９Ｃにより袋詰めされる。
【手続補正２】
【補正対象書類名】明細書
【補正対象項目名】００２１
【補正方法】変更
【補正の内容】
【００２１】
本実施形態における掬い上げ羽根５０，５０’の配置位相に関しては、例えば、一つ飛び越えた位置に在る領域Ｌ同士の配置位相が同じとされ、直接隣り合う領域Ｌ同士での配置位相が互いに異なる関係に決められている。
つまり、図５において直接隣り合う領域Ｌ同士では、符号５０，５０’で示すように異なる位置に掬い上げ羽根が位置し、一つ飛び越えた位置に在る領域Ｌ同士では、符号５０，５０あるいは５０’，５０’で示すように同じ位置に掬い上げ羽根が位置している関係が得られる。
隣り合う領域で掬い上げ羽根５０，５０’の配置位相を異ならせると、掬い上げられた木質チップが振るい落とされるタイミングを異ならせることができる。換言すれば、回転部１Ｃの長手方向全域で同時に木質チップが振るい落とされるのではなく、個々の領域Ｌで直接隣り合う領域と異なるタイミングにより木質チップが振るい落とされる。
なお、この場合の振るい落としとは、気流搬送により筒体の長手方向に振るわれながら移動することと自重落下することとの動作が組み合わされることを意味している。
これにより、回転部１Ｃの断面中央部に位置する空間では、分散性が高められて拡散しやすくなっている木質チップが加熱空気と接触できる。
従って、同じ位置から纏まって振るい落とされる木質チップが加熱空気と接触する場合と違って、拡散して密度が低い木質チップ群に加熱空気が接触しやすくなることで水分蒸発が促進されやすくなる。
なお、本実施形態では、配置位相が同じ掬い上げ羽根５０，５０’のいずれかを備えた領域として、一つ飛びを対象としたが、チップ形状やサイズの一つである粒度の違いによって配置位相の同じ領域の配置間隔を変更することも勿論可能である。